(57)【特許請求の範囲】
【請求項１】
同様の隣接する１または複数のパネルと係合する、建物の屋根や外壁に取付けるための段式タイルパネルであって、
各々が第１端縁と第２端縁とを有する、長手方向に延びる前記パネル内の複数の段部と、
前記段部の前記第１端縁に沿って前記パネルの全長に延びる単一の溝と、
各々が前記段部の前記第２端縁の一部に沿って延びる、複数の舌状部と、
を備え、
前記複数の舌状部が、同様の隣接するパネルの溝と係合して相互連結状態となるようになっていることを特徴とするパネル。
【請求項２】
舌状部の数は、段部の数に等しい
ことを特徴とする請求項１に記載のパネル。
【請求項３】
前記第１端縁は、固定フランジを有している
ことを特徴とする請求項１に記載のパネル。
【請求項４】
同様の隣接する１または複数のパネルと係合する、建物の屋根や外壁に取付けるための段式タイルパネルであって、
各々が第１端縁を有する、前記パネル内で長手方向に延びる複数の第１段部と、
前記第１段部の前記第１端縁に沿って前記パネルの全長に延びる単一の溝と、
各々が第２端縁を有する、前記パネル内の複数の第２段部と、
各々が前記第２段部の前記第２端縁の一部に沿って延びる、複数の舌状部と、
を備え、
前記複数の舌状部が、同様の隣接するパネルの溝と係合して相互連結状態となるようになっていることを特徴とするパネル。
【請求項５】
舌状部の数は、第２段部の数に等しい
ことを特徴とする請求項４に記載のパネル。
【請求項６】
前記第１端縁は、固定フランジを有している
ことを特徴とする請求項４に記載のパネル。
【請求項７】
水路が、前記第１段部と前記第２段部とを分離している
ことを特徴とする請求項４に記載のパネル。
【請求項８】
同様の隣接する１または複数のパネルと係合する、建物の屋根や外壁に取付けるための段式タイルパネルであって、
長手方向に延びる前記パネル内の複数の中央段部と、
第１端縁を有する、前記中央段部の一方の側に配置された複数の第１段部と、
前記第１端縁に沿って前記パネルの全長に延びる単一の溝と、
第２端縁を有する、前記中央段部の他方の側に配置された複数の第２段部と、
各々が前記第２端縁の一部に沿って延びる、複数の舌状部と、
を備え、
前記複数の舌状部が、同様の隣接するパネルの溝と係合して相互連結状態となるようになっていることを特徴とするパネル。
【請求項９】
舌状部の数は、第２段部の数に等しい
ことを特徴とする請求項８に記載のパネル。
【請求項１０】
前記第１端縁は、固定フランジを有している
ことを特徴とする請求項８に記載のパネル。
【請求項１１】
水路が、前記第１段部と前記中央段部とを分離し、他の水路が前記第２段部と前記中央段部とを分離している
ことを特徴とする請求項８に記載のパネル。
【請求項１２】
さらに複数の段部が、前記複数の中央段部と平行に延びている
ことを特徴とする請求項８に記載のパネル。
【発明の詳細な説明】
本発明の技術分野
本発明は屋根タイル（かわら）の技術に係り、とりわけ、舌状部と溝部とを有する多段シート金属屋根タイルに関している。
本発明の背景
屋根かわらは、シート金属を含む様々な材料で作られ得る。金属パネルを屋根に留める際には、ネジやくぎをフランジ内に貫通させて、そのネジやくぎを重複パネルで隠すことが一般的である。パネルの対向する両側の雄部材と雌部材とが、相互連結関係で同様のパネルに結合される。
従来のパネルでは、雄部材と雌部材との両方が、一端から他端まで連続に途切れることなくパネルの全長にわたって延びている。
段式のタイル（かわら）パネルは、従来から知られている。従来の多段タイルパネルは、雄部材と雌部材とを有していない。パネルは単一段または多段を有し得る。単一段は、長手方向に単一の上昇部と、水平面間にいくつかの谷部と、を有し得る。単一段パネルは、舌状部と溝部との係合を有し得る。多段とは、長手方向に２以上の上昇部が延びていることを意味している。多段パネルは、舌状部と溝部との係合を有していない。それらを屋根に留めるための通常の技術は、パネルの表面を貫通するネジを使用することである。貫通される留め具が隠されない場合、雨水がネジやくぎの周りから屋根上にやがて入り込んで、パネルまたは屋根あるいはそれら両方の劣化をひき起こす可能性がある。
本発明の要旨
本発明は、相互連結関係で同様の屋根パネルに結合され得る、シート金属段式タイルパネルに関している。パネルの長さにわたって延びる一端縁上に、雌溝部と固定フランジとがある。パネルの反対側の端縁上には、複数の雄部材がある。ネジのような留め手段は、自然力から隠されると共に、見える所から隠される。
雄部材と雌部材とのこの関係に関して、パネルは、その水平方向の幅と比べて極めて長くできる。このような相互連結段式パネルを製造することは、自動製造装置の使用に適しており、大量生産操業を可能にして、パネル在庫を顧客に近いところに維持することを可能にして、より短い配達時間を実現することができる。
【図面の簡単な説明】
図１は、曲面外形を有する、従来のシート金属段式タイルパネルの斜視図である。
図２は、曲面と平坦面との両方の外形を有する従来のシート金属段式タイルパネルの斜視図である。
図３は、台形外形（台形状側部輪郭）を有する従来のシート金属段式タイルパネルの斜視図である。
図４は、本発明のシート金属パネルの斜視図である。
図５は、他の同様のパネルとの係合前の、パネルの一部の分解図である。
図６は、係合前の雄部材と雌部材との拡大図である。
図７は、雄部材と雌部材とが係合した状態での、図６と同様の図である。
図８は、本発明のパネルの側部輪郭である。
本発明の詳細な説明
図１は、従来のシート金属段式タイルパネルを示している。このパネルは、波打ち形状または曲線状の側部輪郭１０を有している。この輪郭は、面部または段部１２によって描かれており、上昇部１４で上昇している。段部１２及び上昇部１４と同様の付加的な面部及び段部が、パネルを完成させている。この輪郭は、他の波打ち形状または曲線状を有し得る。この輪郭は、図２に示されるように、曲線部と谷部２０との組合わせであってもよい。
図３を参照すると、段部３１，３２，３３，３４は、比較的平坦であって、面間の溝３０と共にあって、台形状側部輪郭を形成している。段部３１は、上昇部３７で上昇している。図１及び図２と同様の態様で、段部３１及び上昇部３７と同様の付加的な面部及び上昇部が、パネルを完成させている。このパネルの端縁部は、水路溝３５を有している。
図１乃至図３の従来のパネルは、使用の際に屋根上に載置されて、パネルのいずれかの部分を貫通するネジやくぎや他の留め手段によって、屋根に固着される。続くパネルが、重複関係で次々と載置されて、屋根パネリングが完了する。ネジ留めは、好適ではあるが、段式パネル上にネジを置くことは、留め領域を自然力にさらすことを引き起こし、結果としてパネルと屋根とを劣化させ得る。ネジのための良好なシール性を提供するために、例えばガスケットリングが与えられ得る。これらのガスケットリングは、シール性を改良するが、パネルのゆがみやガスケットの機能不全が生じないような適切な圧力を達成するために、注意を働かせる必要がある。加えて、屋根は、単なる単一の長方形形状より複雑な構造を有し得るため、従来のパネルは、材料がむだになることを引き起こす。
図４は、本発明による単一シート金属段式パネルを示している。図４は、改良された相互接続特性を提供するために、雄部材と雌部材とを有している。複数の段部が、パネルの長さ及びブレスにまたがって延びている。段部４１，４２，４３は、全体に長手方向に延びている。段部４１１，４１２，４１３及び４２１，４２２，４２３も同様である。段部の間には、例えば段部４１と４１１との間には、図６により詳細に示される、パネルの全長にわたって延びる谷部４０がある。各段部は、例えば段部４２１と４２２の間の上昇部４７のような、上昇部によって結合されている。定義の目的のために、例えば４１のような面部が段部とみなされる。なぜなら、上昇部４７が、例えば面４２から面４１にまで高さを増大させているからである。図４に示されているように、パネルの長さは、パネルの幅よりも相当に長い。ひと続きの舌状部または雄部材４３１，４３２，４３３は、パネルの右側端縁にあり、単一の雌溝４４が、パネルの逆の左側端縁にある。溝４４は、パネルの全長にわたって延びる単一の溝であることに気付くことが重要である。もっとも、溝は、段部形成作業中に、上昇部の領域でプレスされた状態となる。図示されているように、パネルは複数の舌状部を有している。好ましくは、各段部は、それと結合された単一の舌状部を有していて、舌状部の数とパネルの長手方向における段部の数とが等しくなっている。例えば、段部４２１はその端縁に沿って舌状部４３１を有しており、段部４２２はその端縁に沿って舌状部４３２を有しており、段部４２３はその端縁に沿って舌状部４３３を有している。パネルが同様の形態の隣接するパネルに結合される時、舌状部は相互連結関係で単一の雌溝と係合する。
溝の近傍に位置付けられた４１，４２のような段部は、第１の段部とみなされ得る。一方、舌状部のところの４２１，４２２のような段部は、第２の段部とみなされ得る。一方、第１の段部と第２の段部との中間の４１１，４１２のような段部は、中央段部とみなされ得る。より幅広な水平方向の応用のために、中央段部４１１，４１２及び４１３と平行なさらなる他の複数の段部が、幅を増大させることができる。
図示の例では、各段部は単一の舌状部を有しているが、２以上の舌状部を有することも本発明の範囲内である。同様に、雄部材と雌部材との位置を逆にして、舌状部がパネルの左側縁に配置され溝が右側縁に配置されるようにすることも、本発明の範囲内である。
図５は、２つのパネルの一部の分解斜視図であり、２つの隣接するパネルがどのように相互連結するかを示している。また、図５は、図４での右側縁から図５での左側縁へ舌状部が反転した例を示している。舌状部５１，５２，５３は、舌状部５３から溝５４までの矢印によって示されているように、単一の溝５４内に掛け留められる。段部の間の溝５４の一部は、雄部材が当該溝と係合するところであり、より濃い線で示されている。
段部の各々は、平面内に存在する５５のような第１面を有している。舌状部５６が、段部５５の左側縁に沿って延びている。図５により明瞭に示されているように、舌状部５６は、端縁部の全長にわたっては延びておらず、端縁部の一部に沿ってのみ延びている。段部５５の終端部には、垂れ下がる第２面である上昇部５７があり、面５８を結合するために下向きに延びている。パネルの右側縁には、図６及び図７により詳細に示されているように、溝５４を有する５９のような端縁リブがある。溝は、パネルの全長にわたって延びている。
図６及び図７は、相互連結係合部の拡大図である。図６では、雌溝６４が２４度の角度で傾けられて示されている。この特別な角度は、設計及び選択の事項であって、他の値もとり得る。傾き角度は、何度に選ばれてもよいが、その場の水を排出する、あるいは、溝から流出することを許容するのに十分に険しいことが好ましい。
舌状部または雄部材６３は、図６に示すように、部分６７からわずかに傾けられた末端部６５を有している。パネルが相互連結状態にある時、係合部６５及び６７は溝６４との係合を容易にし、その傾斜はさらに水の乾燥を可能にするのに役立つ。図７では、雄部材と雌部材とが、堅固な係合状態で示されている。実際の雄部材及び雌部材は、パネルが相互連結係合状態となる限り、他の形態を有し得る。
図６では、パネルの右側縁が、パネルの長さを延長するフランジ６６を有しており、６８のようなネジがパネルを屋根に留めることを可能にしている。図７に示すように、そのような留め具は、完了した取付状態においては、見える所から隠される。そのような隠れた固定は、美的外観に加えて、むきだしの留め具ならさらされるであろう水などの流体の進入を回避して、パネル及び屋根の寿命を伸ばす。ネジは、パネルの温度移動を許容する予め穴あけされた長孔を、貫通している。
図８は、左側縁に端縁リブ８９を有し、右側縁に舌状部を有するパネルの側部輪郭図である。２つの段部８２，８４が示されているが、この台形形態の段部の数は、選択の事項である。水路８５は、隣接する段部と端縁リブとの間にある。段部上の硬化リブ８３は、パネルの剛直度を増大させる。これは、人がパネル表面上を歩く必要がある場合に、重要な特徴である。水路は、底部で出会う傾斜側部を有している。ギザギザ部８６は、パネルに均一な外観を与えるための陰影線部として機能している。完了された取付状態でパネルを見る時、この均一性は、心地よい全体の外観を与える。水路は、様々な形態をとり得て、図８に示す形態には限定されない。水路の機能は雨水や他の堆積物を運ぶことであり、他の水路の形状も、この機能を実施することができる。端縁リブ８９には、水溝８７がパネルの長さにわたって延びている。毛管作用が、溝によって除去される。
本発明の第１の利点は、長手方向に多段部が配置されると共に隠された固定フランジを可能にする、舌状部と溝との係合を有する多段タイルパネルの提供である。このような係合は、これまで見込みがなかった。従って段式パネルは、パネル面を貫いて、ネジ締めされるか留め具で留められていた。本発明によれば、隠された留め具が段式パネルと共に用いられ得るので、複数の段部を用いる時には、特に有用である。
パネルの狭い幅は、付加的な利点を与える。狭い幅では、複雑な屋根設計においても、廃物がほとんど発生しない。端縁リブは相対的に狭いため、ほとんど重複する部分がなく、付加的に材料を節約できる。
狭いパネルは、風からの持上力をも制限する。このことは、ネジ締めや留め具留めがパネルの端部固定フランジで行われ、スパンが結果として狭くなるという事実からもたらされる。各パネルの留め具に適用される風持上力は制限される。この狭いスパンは、パネルがゆがむ傾向をも減少させる。風持上に対する抵抗が増大するので、パネルの引き揚げや引き裂きが減少する。
さらに他の利点は、パネルが斜めに切られ得て、斜めに切られた部分が他の屋根場所に利用され得ることである。このことは、パネルが狭いために、切断された部分が雄部材及び雌部材の両方を含む可能性が高いという事実の結果である。従来の幅広のパネルは、斜めに切られた時、容易には再利用不可能である。
本発明のパネルは、予め定められた長さ及び幅で商品生産され得て、商品在庫が消費者の近くに維持されることを可能にするため、現存の建築材料販売路を通して供給され得る。シート金属パネルは、屋根の色を建物や周囲の色と調和させるべく、様々な色で予め被覆され得る。
【図１】
0003708132.tif 000002
【図２】
0003708132.tif 000003
【図３】
0003708132.tif 000004
【図４】
0003708132.tif 000005
【図５】
0003708132.tif 000006
【図６】
0003708132.tif 000007
【図７】
0003708132.tif 000008
【図８】
0003708132.tif 000009